(57)【要約】【課題】コンクリート製品の勾配表面に基端面を面一に露出させ且つ脱型容易な鉛直または水平方向に吊上げ用インサートを埋設する。【解決手段】コンクリート製品Ｗの水平面Ｌ−Ｌに対して傾斜した勾配表面Ｓを形成する型枠Ｍに嵌合体６を鉛直線Ｖ方向へ突出させて取付治具５を固定し、勾配表面Ｓと等しい傾斜角度の勾配基端面４０を設けたインサート３１を嵌合体６に嵌装して勾配基端面４０を型枠Ｍの内面に密着させる。コンクリートがインサート３１に流入させることなく打設され、また鉛直線Ｖ方向へ移動して脱型すると、インサート３１は勾配基端面４０を勾配表面Ｓに面一に露出させて鉛直に埋設されたコンクリート製品Ｗが得られる。【選択図】　　　図２
2004042470.tif 000002
【特許請求の範囲】
【請求項１】
コンクリート製品の勾配表面に基端面を露出させて吊上げ用インサートを埋設する方法であって、
コンクリート製品の水平面または鉛直面に対して傾斜した勾配表面を形成する型枠に設けられる取付治具のインサート嵌め込み用嵌合体を前記水平面または鉛直面に対して直角に前記型枠の内側へ突出させ、前記インサートは基端面を前記水平面または鉛直面に対する前記勾配表面と等しい傾斜角度の勾配基端面に形成したものとし、
前記インサートをその吊り部材差込み用空所を前記嵌合体に嵌め込んで前記勾配基端面を前記型枠の内側面に密着させた状態としてコンクリートを打設し、
そして前記水平面または鉛直面に対して直角の方向へコンクリート製品または前記型枠を移動させることにより脱型を行なう、
ことを特徴とするコンクリート製品吊上げ用インサートの設置方法。
【請求項２】
コンクリート製品の勾配表面に基端面を露出させて吊上げ用インサートを埋設する装置であって、
コンクリート製品の水平面または鉛直面に対して傾斜した勾配表面を形成する型枠と、インサート嵌め込み用の嵌合体および前記型枠への取付体を有する取付治具とを具えており、
前記取付治具は前記嵌合体を前記水平面または鉛直面に対して直角に前記型枠の内側へ突出させて前記取付体により前記型枠に固定されている、
ことを特徴とするコンクリート製品吊上げ用インサートの設置装置。
【請求項３】
前記型枠は外側に水平または鉛直の当り面を有する台座を具えているとともに前記当り面に直角の取付孔を前記台座を貫通させて具えており、前記取付治具は嵌合体と取付体とが同一中心軸線上に形成されているとともに前記取付体がボルトとされており、前記ボルトが前記取付孔に挿通され前記ボルトに螺装したナットが前記当り面と協働して前記嵌合体を前記水平面または鉛直面に対して直角に前記型枠の内側へ突出させている請求項２に記載したコンクリート製品吊上げ用インサートの設置装置。
【請求項４】
前記嵌合体は基端面を前記水平面または鉛直面に対する前記勾配表面と等しい傾斜角度の勾配当り面に形成したものとされ、前記勾配当り面が前記型枠の内側面に重ねられて前記水平面または鉛直面に対して直角に前記型枠の内側へ突出させられている請求項２または３に記載したコンクリート製品吊り上げ用インサートの設置装置。
【請求項５】
前記取付体が前記勾配当り面に直角に突出したボルトであり、前記ボルトが前記型枠に設けた取付孔に挿通され前記ボルトに螺装したナットと前記嵌合体とが前記型枠を挟み込むことにより、前記勾配当り面が前記型枠の内側面に重ねられて前記嵌合体を前記水平面または鉛直面に対して直角に前記型枠の内側へ突出させている請求項４に記載したコンクリート製品吊上げ用インサートの設置装置。
【請求項６】
コンクリート製品の勾配表面に基端面を露出させて埋設される吊上げ用インサートであって、
前記基端面がコンクリート製品の水平面または鉛直面に対して傾斜した前記勾配表面の傾斜角度と等しい傾斜角度の勾配基端面に形成されている、
ことを特徴とするインサート。
【発明の詳細な説明】
【０００１】
【発明の属する技術分野】
本発明はコンクリート製品を運搬や設置のため吊り上げるとき重機側の吊り部材を係合させるために使用されるインサートをコンクリート製品に設置する方法および装置、ならびにこの方法または装置によってコンクリート製品に埋設されるインサートに関するものである。
【０００２】
【従来の技術】
工場で所定の寸法、形状に成形される各種コンクリート製品の多くは人力で持ち上げるのが不可能な重量を有しており、成形場所から保管場所への移動や保管場所から施工現場への運搬の際の運搬車両への積み降し、現場での施工位置への設置にあたって、クレーン、ウインチなどの重機を使用して吊上げなければならない。
【０００３】
そのための手段として、重機のフックに係合するワイヤロープの両端に取り付けられた吊り部材と、コンクリート製品の荷重バランスを考慮して設定した位置に予め埋設させたインサートとからなり、吊り部材をインサートに差込んで係止させることにより吊上げができるようにした吊上げ具が知られている。
【０００４】
或る種の吊上げ具における吊り部材は軸体の基端にワイヤロープなどの吊上げ用具の係合部を設けるとともに先端に係止突起を放射方向へ突出させて設けたものとされ、インサートは軸体および係止突起をそれぞれ挿通させる通孔および誘導溝を有する筒状の基体の先端に下向きの係止溝を誘導溝と異なる位相上に設けたものとされており、このような吊り部材は実開平３−８９７８０号公報、特開平１０−２８０６９４号公報などに記載されている。
【０００５】
前記のインサートの基端面は中心軸線と直角の平面に形成されており、コンクリート製品成形用の型枠に設けた取付治具の型枠内側に突出した嵌合体に嵌め込んで基端面を型枠内側面に密着させた状態でコンクリートを打設するものである。そして、コンクリート製品の型枠からの脱型はコンクリート製品を型枠に直角の方向へ移動させることにより、或いは型枠をコンクリート製品表面に直角の方向へ移動させることにより行われ、この移動は取付治具およびインサートの中心軸線方向であることによって、インサートは損傷を受けることなくコンクリート製品にその表面に基端面を面一に揃えて埋設残置される。
【０００６】
一方、インサートはコンクリート製品の上面に露出させて鉛直に埋設する場合と、側面に露出させて水平に埋設する場合とがあり、荷重バランスのとりやすさ、施工位置への設置の容易性などを考慮してそのいずれとするかを決定している。
【０００７】
【発明が解決しようとする課題】
ところが、例えば道路の端に沿って敷設され路面からの雨水などを流入させる側溝には、水はけをよくするために上面に勾配を設けたものがある。このように、上面に勾配を有するコンクリート製品について、インサートを上面に基端面を面一に揃えて埋設すると、非鉛直状態で埋設されるので鉛直方向の移動によって脱型することが不可能となり、また無理な脱型を行なうとインサートを破壊することとなる。また、インサートを鉛直に埋設しようとした場合は、その基端面と型枠との間に勾配に対応する隙間を生じてコンクリートが流入し、吊り部材を挿入できなくなるという不都合を生じる。
【０００８】
このため、上面に勾配を有するコンクリート製品については、インサートを側面に露出させて水平に埋設することとしているが、吊り部材が両側方へ突出した状態で吊り上げられるので、施工場所によっては既存構造物などが邪魔になって所定位置に設置できないことがあり、上面に露出させて鉛直に設置する要求が多い。
【０００９】
本発明は上面に勾配を有するコンクリート製品について、インサートを上面に露出させて鉛直に埋設する適切な手段がなかった、という前記課題を解決するためになされたものであって、水平面または鉛直面に対して傾斜した勾配表面を有するコンクリート製品について、インサートを勾配表面に基端面を面一に露出させて水平面または鉛直面に直角に埋設させることを目的とする。
【００１０】
【課題を解決するための手段】
前記課題を解決するために、本発明はコンクリート製品の勾配表面に基端面を露出させて吊上げ用インサートを埋設するにあたり、前記課題を伴なわずに埋設する方法として、コンクリート製品の水平面または鉛直面に対して傾斜した勾配表面を形成する型枠に設けられる取付治具のインサート嵌め込み用嵌合体を水平面または鉛直面に対して直角に型枠の内側へ突出させ、インサートは基端面を水平面または鉛直面に対する勾配表面と等しい傾斜角度の勾配基端面に形成したものとし、このインサートをその吊り部材差込み用空所を嵌合体に嵌め込んで勾配基端面を型枠の内側面に密着させた状態としてコンクリートを打設し、そして水平面または鉛直面に対して直角の方向へコンクリート製品または型枠を移動させることにより脱型を行なうものとした。
【００１１】
インサートの基端面に所定傾斜角度の勾配を設けて中心軸線が水平面または鉛直面に直角の姿勢で勾配基端面を型枠内側面に密着させることにより、コンクリートをインサートに流入させることなく打設することができ、且つインサート中心軸線方向への移動による脱型を円滑に行なうことができる。そして、前記の埋設方法によってインサートをコンクリート製品の勾配表面に基端面を面一に露出させて水平面または鉛直面に直角に埋設する、という目的が達成できる。
【００１２】
また、本発明はコンクリート製品の勾配表面に基端面を露出させて吊上げ用アンカを埋設するにあたり、前記課題を伴なわずに埋設する装置として、コンクリート製品の水平面または鉛直面に対して傾斜した勾配表面を形成する型枠と、インサート嵌め込み用の嵌合体および型枠への取付体を有する取付治具とを具えており、取付治具は嵌合体を水平面または鉛直面に対して直角に型枠の内側へ突出させて取付体により型枠に固定されているものとした。
【００１３】
前述の方法に用いたインサートをこの装置にも使用することにより、コンクリートをインサートに流入させないとともに脱型が円滑に行なえるものであり、且つインサートをコンクリート製品の勾配表面に基端面を面一に露出させて水平面または鉛直面に直角に埋設する、という目的が達成される。
【００１４】
更に、本発明はコンクリート製品の勾配表面に基端面を露出させて埋設される吊上げ用インサートを、基端面がコンクリート製品の水平面または鉛直面に対して傾斜した勾配表面の傾斜角度と等しい傾斜角度の勾配基端面に形成されているものとした。
【００１５】
このインサートを前記の方法または装置によってコンクリート製品に埋設することにより、コンクリートが流入しないとともに脱型が円滑に行なえ、且つコンクリート製品の勾配表面に基端面を面一に露出させて水平面または鉛直面に直角に埋設されたものとすることができる。
【００１６】
【発明の実施の形態】
以下に図面を参照して本発明の実施の形態を説明する。図１および図２は第一の実施の形態を示すものであって、上面が水平面Ｌ−Ｌに対して傾斜した勾配表面Ｓとされているコンクリート製品Ｗに、インサート３１を勾配表面Ｓに基端面を面一に露出させ且つ中心軸線を鉛直線Ｖと一致させて埋設するものである。
【００１７】
図１（Ａ）を参照して、勾配表面Ｓを形成する型枠Ｍは外側である図示上側に上面２を水平面とする台座１を一体に有しているとともに、この台座１を貫通して型枠Ｍの内側と外側とを連通した取付孔３が鉛直線Ｖ方向に設けられている。取付治具５は短円柱形の嵌合体６とその基端面から突出したボルトからなる取付体８とを有し、これらは同一中心軸線上に形成されていて、嵌合体６は先端面に嵌合突起９を直径上に延在させて有しているとともに基端面を勾配表面Ｓと同一の傾斜角度の勾配当り面７としている。
【００１８】
型枠Ｍのコンクリートが打設される内側である図示下側から取付体８を取付孔３に挿通し、勾配当り面７の全面を型枠Ｍの内側面に重ねて取付体８に座板１０の上からナット１１を螺装し締め付ける。座板１０とナット１１が水平の上面２に重ねられることと、勾配当り面７が型枠Ｍの内側面に密着して重ねられることとによって、勾配表面Ｓと等しい傾斜角度の勾配をもたせて配置した型枠Ｍの内側に、嵌合体６が鉛直線Ｖ方向へ突出して固定される。
【００１９】
次に、インサート３１は図１（Ｂ）を参照して、嵌合体６を密に嵌め込む基端開放の空所３３を有する円筒状の保持筒３２と、その先端から前方へ延び図１（Ｃ）に示す吊り部材６１の軸体６２を緩く挿通させる通孔３５および軸体６２の先端両側方に対称に突出させた係止突起６３を緩く挿通させる誘導溝３６が貫通形成されている横断面小判形の案内筒３４と、その先端に連設形成されて係止突起６３を旋回させる空間３８を有する有底円筒状の底筒３７とを有している。底筒３７の頂壁には二つの誘導溝３６に直交させて二つの下向きの係止溝３９が設けられている。そして、保持筒３２の基端面は勾配表面Ｓの傾斜角度と等しい傾斜角度の勾配基端面４０とされている。
【００２０】
尚、吊り部材６１は先端に係止突起６３を有する軸体６２の基端に重機側のワイヤロープなどを取り付ける環からなる係合部６４を有しているとともに、係合部６４のボスと軸体４２に緩く嵌装したばね受６５との間に圧縮コイルばねからなる押ばね６６を装入して具えている。コンクリート製品Ｗを吊上げるため軸体６２を通孔３５に挿通し係止突起６３を係止溝３９に嵌入させたとき、押ばね６６は引抜き方向に働いて係止突起６３が係止溝３９から外れるのを防止する。
【００２１】
前記の取付治具５を具えた型枠Ｍを使用して前記のインサート３１をコンクリート製品Ｗに埋設する作業手順を説明すると、先ず勾配基端面４０の傾斜方向を型枠Ｍの傾斜方向と目視により一致させて保持筒３２を嵌合体６に嵌装し、そのまま押し込んで勾配基端面４０を型枠Ｍの内側面に密着させる。このとき、嵌合突起９に誘導溝３６が嵌入して図２（Ａ）に示す状態となる。
【００２２】
本実施の形態では、図１（Ａ），（Ｂ）に示されているように取付治具５の嵌合突起９が勾配の当り面７の傾斜方向に形成され、インサート３１の二つの誘導溝３６が勾配基端面４０の傾斜方向に設けられているので、保持筒３２を嵌合体６に嵌装するときに傾斜方向が狂っていても、嵌合突起９は誘導溝３６を嵌入させなければ勾配基端面４０が型枠Ｍの内側面に密着しないことから、嵌装途中でインサート３１の位相を手で修正して確実に密着させることができる。
【００２３】
コンクリートを打設するとき、インサート３１は型枠Ｍに隙間なく密着していることによってコンクリートを流入させないとともに、嵌合体６が保持筒２２に密に嵌装し且つ嵌合突起９が誘導溝３６に嵌入していることによって傾くことなく保持される。そして、打設したコンクリートが硬化したとき、型枠Ｍまたはコンクリート製品Ｗを鉛直方向へ移動させることにより、嵌合体６、嵌合突起９が空所３３，誘導溝３６から抜け出して脱型が行なわれ、インサート３１は図２（Ｂ）に示したように勾配基端面４０をコンクリート製品Ｗの勾配表面Ｓに面一に露出させて鉛直に埋設される。
【００２４】
実際のコンクリート製品製造にあたっては、コンクリート製品Ｗの上面である勾配表面Ｓを形成する型枠Ｍを底に置き、嵌合体６を上向きに突出させたものとしてコンクリート製品Ｗを鉛直方向へ引き上げることにより脱型する方式とすることが多く、この場合は図２（Ａ），（Ｂ）の上下を反転した形態となる。また、勾配表面Ｓが鉛直面に対して傾斜しており、従ってコンクリート製品Ｗの側面である場合も本実施の形態がそのまま適用される。
【００２５】
図３は第二の実施の形態を示すものであって、勾配表面Ｓを形成する型枠Ｍは第一の実施の形態におけるものと同一であって、上面２を水平面とする台座１を上側に一体に有しているとともに、この台座１を貫通して型枠Ｍの内側と外側とを連通した取付孔３が鉛直線Ｖ方向に設けられている。取付治具１３は短円柱形の嵌合体１４とその基端面から突出したボルトからなる取付体１６とを有し、これらは同一中心軸線上に形成されている。嵌合体１４は先端面に嵌合突起１５を直径上に延在させて有しているが、基端面は傾斜していない点で第一の実施の形態のものと相違している。
【００２６】
そして、型枠Ｍのコンクリートが打設される内側である図示下側から取付体１６を取付孔３に挿通し、嵌合体１４の基端縁を型枠Ｍの内側面に当接して取付体１６に座板１７の上からナット１８を螺装して締め付ける。座板１７とナット１８とが水平の上面２に重ねられることによって、勾配表面Ｓと等しい傾斜角度の勾配をもたせた型枠Ｍの内側に、嵌合体１４が鉛直線Ｖ方向へ突出して固定されることとなる。
【００２７】
嵌合突起１５は型枠Ｍの傾斜方向へ配置され、図１（Ｂ）に示したインサート３１の保持筒３２を嵌合体１４に嵌装するとともに誘導溝３６を嵌合突起１５に嵌装し、勾配基端面４０を型枠Ｍの内側面に密着させてコンクリートを打設し、そして鉛直線Ｖ方向へ移動させて脱型を行なうことは第一の実施の形態と同じである。また、本実施の形態によってもインサートにコンクリートを流入させることなく打設できるとともに鉛直方向へ移動させて円滑に脱型でき、且つインサートの勾配基端面をコンクリート製品の勾配表面に面一に露出させて埋設できる、という第一の実施の形態と同様の効果が得られる。
【００２８】
尚、本実施の形態では座板１７，ナット１８と台座１，取付体１６とナット１８をそれぞれ溶接１９によって互いに団結しており、このことによって取付治具１３を強固に且つ安定よく型枠Ｍに取り付けている。尚また、図１（Ａ）に示した実施の形態においても溶接手段を併用することができる。
【００２９】
図４は第三の実施の形態を示すものであって、図２（Ｂ）のように上面が水平面Ｌ−Ｌに対して傾斜した勾配表面Ｓとされているコンクリート製品にインサート４５を勾配表面Ｓに基端面を面一に露出させ且つ中心軸線を鉛直線Ｖと一致させて埋設するものである。
【００３０】
図４（Ａ）を参照して、勾配表面Ｓを形成する型枠Ｍは勾配表面Ｓに直交する直角方向Ｔの取付孔４が設けられている。取付治具２１は短軸状の嵌合体２２とその基端面から突出したボルトからなる取付体２４とを有し、嵌合体２２はその全長に亘って延びる二つの嵌合突起２３を中心軸線を挟んで両側方へ突出させて有しているとともに、これらの基端面は嵌合体２２の中心軸線に直角の平面に対して勾配表面Ｓの傾斜角度と等しい傾斜角度の勾配当り面２５としている。取付体２４は勾配当り面Ｓに対して直角の方向へ突出している。
【００３１】
型枠Ｍのコンクリートが打設される内側である図示下側から取付体２４を取付孔４に挿通し、勾配当り面２５の全面を型枠Ｍの内側面に重ねて取付体２４に座板２６の上からナット２７を螺装し締め付ける。座板２６とナット２７が勾配表面Ｓと平行な型枠Ｍの外側面に重ねられることと、勾配当り面２５が型枠Ｍの内側面に密着して重ねられることとによって、勾配表面Ｓと等しい傾斜角度をもって配置した型枠Ｍの内側に、嵌合体２２が鉛直線Ｖ方向へ突出して固定される。
【００３２】
次に、インサート４５は図４（Ｂ）を参照して、図１（Ｃ）に示した吊り部材６１の軸体６２および係合突起６３をそれぞれ緩く挿通させる通孔４７および誘導溝４８が貫通形成されている横断面小判形の案内筒４６と、その先端に連設形成されて係止突起６３を旋回させる空間５０を有する有底円筒状の底筒４９とを有している。底筒４９の頂壁には二つの誘導溝４８に直交させて二つの下向きの係止溝５１が設けられており、また案内筒４６の基端面は勾配表面Ｓの傾斜角度と等しい傾斜角度の勾配基端面５２とされている。
【００３３】
前記のインサート４５は勾配基端面５２の傾斜方向を型枠Ｍの傾斜方向と目視により一致させて案内筒４６の通孔４７，誘導溝４８を嵌合体２２，嵌合突起２３に嵌装し、そのまま押し込んで勾配基端面５２を型枠Ｍの内側面に密着させるものである。
【００３４】
本実施の形態では、図４（Ａ），（Ｂ）に示されているように取付治具２１の二つの嵌合突起２３が勾配当り面２５の傾斜方向に形成され、インサート４５の二つの誘導溝４８が勾配基端面５２の傾斜方向に形成されているので、インサート４５は正しい位相で取付治具２１に嵌め込まれて勾配基端面５２を型枠Ｍの内側面に確実に密着させることができる。そして、本実施の形態によってもインサート４５にコンクリートを流入させることなく打設できるとともに鉛直方向へ移動させて円滑に脱型でき、且つ勾配基端面５２をコンクリート製品の勾配表面に面一に露出させて埋設できる、という第一および第二の実施の形態と同様の効果が得られる。
【００３５】
尚、本実施の形態における取付治具２１は取付体２４を型枠Ｍに溶接することにより、或いはナット２７と溶接の併用により固定することができる。
【００３６】
前記の各実施の形態において、埋設したインサート３１，４５の吊り部材差込み用空所の基端面への開口部分はゴム栓などを嵌め込むことによって簡単に閉止することができる。また、本発明においてインサート３１，４５の基端面を勾配基端面４０，５２としてコンクリート製品Ｗの勾配表面Ｓと面一にすることは障害となる凹凸を作らない、という点で有益であり、インサート３１，４５を水平面または鉛直面に対して直角とすることは脱型の容易性に加えて吊り部材で吊り上げたときの安定性を向上する、という点で有益である。
【００３７】
【発明の効果】
以上のように、本発明によると吊上げ用インサートをコンクリート製品の水平面または鉛直面に対して傾斜した勾配表面に基端面を面一に露出させ、且つ水平面または鉛直面に対して直角に埋設することを、打設時にインサート内部にコンクリートを流入させる心配を伴わないとともに、水平面または鉛直面に対し直角の方向へ移動させるという簡単な脱型作業で実現できるものである。
【図面の簡単な説明】
【図１】本発明の第一の実施の形態を示すものであって、（Ａ）は型枠への取付治具の固定状態を示す縦断面図および下面図、（Ｂ）はインサートの縦断面図および横断面図、（Ｃ）は吊り部材の一部切除した正面図。
【図２】（Ａ），（Ｂ）は第一の実施の形態の作業手順を説明する縦断面図。
【図３】本発明の第二の実施の形態に係る型枠への取付治具の固定状態を示す縦断面図。
【図４】本発明の第三の実施の形態を示すものであって、（Ａ）は型枠への取付治具の固定状態を示す縦断面図および下面図、（Ｂ）はインサートの縦断面図および横断面図。
【符号の説明】
３，４　取付孔，　５，１３，２１　取付治具，　６，１４，２２　嵌合体，７，２５　勾配当り面，　８，１６，２４　取付体，　１１，１８，２７　ナット，　３１，４５　インサート，　４０，５２　勾配基端面，　Ｍ　型枠，　Ｗ　コンクリート製品，　Ｓ　勾配表面，
【図１】
2004042470.tif 000003
【図２】
2004042470.tif 000004
【図３】
2004042470.tif 000005
【図４】
2004042470.tif 000006